(57)【要約】      （修正有）【課題】光源利用率が高く、液晶表示パネルの輝度を高めることができるバックライトモジュールを提供する。【解決手段】本バックライトモジュールは、筐体１０と、該筐体内において下から上に向かって順次に積層配置される反射シート３０、入射面を有する導光板２０、拡散シート４０、第一集光シート５０及び第二集光シート６０と、前記筐体と前記導光板の入射面２１との間に設けられる光源７０とを備えてなる。前記筐体の内面には、光線を反射するための塗料がコーティングされる。前記導光板は、前記入射面に直交して延在する底面２２と、前記底面に対向する出射面２４と、前記底面と前記出射面との間に垂直に延在する３つの側面２５とを含む。前記３つの側面には反射層２６が形成され、前記底面には複数の光拡散ドット２３が設けられている。【選択図】図１
0003169962.tif 000002
【実用新案登録請求の範囲】
【請求項１】
筐体と、前記筐体内で下から上に向かって順次に積層配置される反射シート、入射面を有する導光板、拡散シート、第一集光シート及び第二集光シートと、前記筐体と前記導光板の入射面との間に設けられる光源と、を備えてなるバックライトモジュールにおいて、
前記筐体の内面には、光線を反射するための塗料がコーティングされ、
前記導光板は、前記入射面に直交して延在する底面と、前記底面に対向する出射面と、前記底面と前記出射面とを垂直に接続する３つの側面と、を含み、
前記３つの側面には反射層が形成され、前記底面には複数の光拡散ドットが設けられていることを特徴とするバックライトモジュール。
【請求項２】
前記筐体の内面の塗料は、アルミニウム或いは銀から構成されることを特徴とする請求項１に記載のバックライトモジュール。
【請求項３】
前記導光板の光拡散ドットは、前記底面に白色インクを印刷するか或いはスタンパーやインジェクションによって前記底面に凹凸をつけてなることを特徴とする請求項１又は２に記載のバックライトモジュール。
【考案の詳細な説明】
【技術分野】
【０００１】
本考案は、バックライトモジュールに関し、特に液晶表示装置に用いられるバックライトモジュールに関するものである。
【背景技術】
【０００２】
現在、携帯電話などの電子製品の表示パネルは、携帯電話のバックライトモジュール内に設けられる発光ダイオード（ｌｉｇｈｔ−ｅｍｉｔｔｉｎｇ  ｄｉｏｄｅ，ＬＥＤ）を光源とする。前記発光ダイオードにより発せられる光線は、反射シート及び導光板を順次に透過して面光源に転換されて液晶パネルに均一な光学効果を提供する。しかし、導光板の底面及び周縁には、よく光漏れが発生する。漏れた光線が反射されて再度利用されることができなければ、光エネルギーの浪費を招き、液晶パネルが表示する画像の輝度も下がる。
【考案の概要】
【考案が解決しようとする課題】
【０００３】
そこで、本考案は上記の問題点を考慮した上で、光源利用率が高く、液晶表示パネルの輝度を高めることができるバックライトモジュールを提供することを目的とする。
【課題を解決するための手段】
【０００４】
上記の目的を達成するために、本考案に係るバックライトモジュールは、筐体と、前記筐体内において下から上に向かって順次に積層配置される反射シート、入射面を有する導光板、拡散シート、第一集光シート及び第二集光シートと、前記筐体と前記導光板の入射面との間に設けられる光源と、を備えてなる。前記筐体の内面には、光線を反射するための塗料がコーティングされる。前記導光板は、前記入射面に直交して延在する底面と、前記底面に対向する出射面と、前記底面と前記出射面とを垂直に接続する３つの側面と、を含む。前記３つの側面には反射層が形成され、前記底面には複数の光拡散ドットが設けられている。
【考案の効果】
【０００５】
従来の技術に比べて、本考案のバックライトモジュールにおいて、筐体の内面には光線を反射するための塗料がコーティングされ、導光板の３つの側面には反射層が形成されているので、前記導光板の側面から漏れた光線を反射させて再び前記導光板に入射させることができ、光エネルギーを効率よく利用し、前記バックライトモジュールから液晶表示パネルへ照射する光線の強度及び輝度を高める。
【図面の簡単な説明】
【０００６】
【図１】本考案のバックライトモジュールの構造を示す断面図である。
【考案を実施するための形態】
【０００７】
図１に示したように、本考案の実施形態に係るバックライトモジュールは、筐体１０と、下から上に向かって前記筐体１０内に積層して配置される反射シート３０、導光板２０、拡散シート４０、第一集光シート５０及び第二集光シート６０と、前記導光板２０の入射面に対向して設置される光源７０と、を備える。本考案のバックライトモジュールは、サイドライト式であり、前記光源７０は、点光源であるＬＥＤを採用する。また、前記光源７０は、冷陰極蛍光管（Ｃｏｌｄ  Ｃａｔｈｏｄｅ  Ｆｌｕｏｒｅｓｃｅｎｔ  Ｌａｍｐｓ，  ＣＣＦＬ）などの線光源であってもよい。
【０００８】
前記筐体１０は、高い反射率を有する金属及びプラスチックにより製作され、又はその内面には高い反射率を有する塗料がコーティングされている。本実施形態において、前記筐体１０は周壁１２を備え、前記周壁１２の内面には高い反射性能を持つ塗布層１４が設けられている。
【０００９】
前記導光板２０は、アクリル系樹脂材料からなり、入射面２１と、前記入射面２１に直交して延在する底面２２と、前記底面２２に対向する出射面２４と、前記底面２２と前記出射面２４との間を接続する３つの側面２５と、を含む。前記底面２２には、白色インクを印刷してなる複数の光拡散ドット２３が形成されている。また、複数の前記光拡散ドット２３は、スタンパーやインジェクションによって前記底面２２に凹凸をつけてなることもできる。前記３つの側面２５に反射材料を塗布して反射層２６を形成することにより、前記導光板２０の側面２５から漏れる光線を反射して前記導光板２０の内部に入射させる。
【００１０】
前記反射シート３０は、前記筐体１０の底面と前記導光板２０との間に設置される。前記拡散シート４０、前記第一集光シート５０及び第二集光シート６０は、互いに平行し且つ前記導光板２０の上面において下から上に向かって順次に積層配置されている。前記拡散シート４０は、拡散面４１を有する。前記光源７０は、前記導光板２０の入射面２１と前記筐体１０との間に設置される。
【００１１】
本考案によると、前記バックライトモジュールの光源７０が発する光線は、前記導光板２０の入射面２１から前記導光板２０内に入射する。前記導光板２０に入射した光線は、表面反射を繰り返して前記導光板２０の広い面積に広がる。この際に前記光拡散ドット２３において光線が散乱され、前記導光板２０の出射面２４から前記拡散シート４０に向かって出射する。前記導光板２０の底面２２から漏れた光線は、前記反射シート３０により反射されて再び前記導光板２０に入射する。前記導光板２０の側面２５から漏れた光線は、前記反射層２６或いは前記塗布層１４により反射されて再び前記導光板２０に入射する。前記拡散シート４０により均一に拡散された光線は、前記第一集光シート５０及び前記第二集光シート６０により集中される。
【００１２】
本考案のバックライトモジュールにおいて、前記筐体１０の周壁１２の内面には高い反射性能を持つ塗布層１４が設けられ、前記導光板の３つの側面２５には反射層２６が形成されているので、前記導光板２０の側面２５から漏れた光線を反射して再び前記導光板２０に入射させることができ、光エネルギーを効率よく利用し、バックライトモジュールから液晶表示パネルへ照射する光線の強度及び輝度も高めた。
【００１３】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることはいうまでもない。
【符号の説明】
【００１４】
１０          筐体
１２          周壁
１４          塗布層
２０          導光板
２１          入射面
２２          底面
２３          光拡散ドット
２４          出射面
２５          側面
２６          反射層
３０          反射シート
４０          拡散シート
４１          拡散面
５０          第一集光シート
６０          第二集光シート
７０          光源
【図１】
0003169962.tif 000003